(57)【要約】【課題】従来、通信インタフェースを有する機器において、通信先機器と送受信情報を選択する制御ソフトウェアと表示機能を有するホスト機器が必要であった。【解決手段】通信機器内の記憶媒体に送信専用領域と受信専用領域を有することにより、通信機器に電源を投入することにより、通信可能相手の機器に、送信専用領域に格納されている情報を送信し、通信可能相手の機器からの情報を、受信可能領域に格納することを可能にするものである。【選択図】図１
2005327018.tif 000002
【特許請求の範囲】
【請求項１】
アンテナと、このアンテナに接続された通信インタフェースと、この通信インタフェースが制御手段または記憶媒体の少なくとも１つに接続し、前記記憶媒体に通信可能な機器への自動送信が許可されている送信専用領域を有し、電源が投入された後、前記制御手段の指示により通信可能な機器に対して、記憶媒体の送信専用領域にある情報を送信することを特徴とする通信インタフェース内蔵記憶装置。
【請求項２】
通信可能な機器に対してセキュリティを有する特定の情報を送信しようとするとき、通信可能な機器の情報から、記憶媒体の送信専用領域にある送信すべき情報を特定し、通信可能な機器に情報を送信することを特徴とする請求項１に記載の通信インタフェース内蔵記憶装置。
【請求項３】
アンテナと、このアンテナに接続された通信インタフェースと、この通信インタフェースが制御手段または記憶媒体の少なくとも一つに接続し、前記記憶媒体に通信可能な機器に対して自動受信が許可されている受信専用領域を有し、電源が投入された後、前記制御手段の指示により通信可能な機器からの情報を自動的に記憶媒体の受信専用領域に格納することを特徴とする通信インタフェース内蔵記憶装置。
【請求項４】
通信可能な機器から受信した情報量に応じて、記憶媒体中の受信専用領域の大きさを変化させることを特徴とする請求項３に記載の通信インタフェース内蔵装置。
【請求項５】
アンテナと、このアンテナに接続された通信インタフェースと、この通信インタフェースが制御手段または記憶媒体の少なくとも１つに接続し、前記記憶媒体に送信専用領域および受信専用領域を有し、電源が投入された後、前記制御手段の指示により通信可能な機器に対して、記憶媒体の送信専用領域にある情報を送信し、通信可能な機器からの情報を自動的に格納することを特徴とする通信インタフェース内蔵機器。
【請求項６】
ホスト機器と通信機器間でＩＤなどの機器を特定する情報を送受信することより、特定のホスト機器のみ送信専用領域および受信専用領域を含む記憶媒体の情報の取得、情報の格納を可能にすることを特徴とする請求項５記載の通信インタフェース内蔵記憶装置。
【発明の詳細な説明】
【技術分野】
【０００１】
本発明は、通信インタフェース機能を有するＳＤ（Ｓｅｃｕｒｅ  ｄｉｇｉｔａｌ）カードなどのメモリカードに関するものである。
【背景技術】
【０００２】
近年、メモリカードに通信インタフェース機能を有する機器を用いて、通信可能な機器に対して情報を送受信することが行われるようになってきている。その際に、ユーザはホスト機器や制御ソフトウェアなどを介して通信可能な機器に対して情報の送受信を制御していた。
【０００３】
なお、この出願の発明に関する先行技術文献情報として、例えば、特許文献１が知られている。
【特許文献１】特開２００１−１９５５５３号公報
【発明の開示】
【発明が解決しようとする課題】
【０００４】
従来の構成では、送受信するための情報や通信先を特定するための表示機能を有するホスト機器とそのホスト機器を制御するソフトウェアが必要であり、通信可能相手に対して情報を送信したり、情報を受信したりするために、ユーザはホスト機器を使用する必要があった。
【０００５】
本発明では、上記課題を解決するもので、通信機器が有するフラッシュメモリなどの記憶媒体に送信専用領域、受信専用領域を有し、ホスト機器を使用したユーザの操作を必要とすることなく通信可能相手の機器と情報の送受信を行うことを目的とするものである。
【課題を解決するための手段】
【０００６】
上記目的を達成するために、本発明は、アンテナと、このアンテナに接続された通信インタフェースと、この通信インタフェースが制御手段または記憶媒体の少なくとも１つに接続し、前記記憶媒体に通信可能な機器への自動送信が許可されている送信専用領域を有し、電源が投入された後、前記制御手段の指示により通信可能な機器に対して、記憶媒体の送信専用領域にある情報を送信することを特徴とする通信インタフェース内蔵記憶装置であり、フラッシュメモリなどの記憶媒体に送信専用領域を有することにより、通信可能相手の機器に対して情報を送信する場合、ホスト機器による制御を必要としない効果が得られる。
【発明の効果】
【０００７】
本発明は、通信機器側にある記憶媒体に送信専用領域を設けることにより、制御ソフトウェアや表示媒体などを有するホスト機器を必要とすることなく、通信可能な機器へ情報を送信することを可能とし、さらに受信専用領域を設けることにより、ホスト機器を必要とすることなく、通信可能な機器から受信することを可能とする。
【発明を実施するための最良の形態】
【０００８】
（実施の形態１）
以下、本発明の実施の形態について、本発明の特に請求項１〜６に記載の発明について図面を参照しながら説明する。
【０００９】
図１は本発明の実施の形態１における通信インタフェース内蔵記憶装置の構成図である。
【００１０】
図１に示すように、本発明における通信インタフェース内蔵記憶装置１は、通信可能な機器と無線通信を行うためのアンテナ２と、通信インタフェース３と、記憶媒体４と、ホスト機器とやり取りを行うためのカードインタフェース５と、通信インタフェース内蔵記憶装置１を制御するためのＣＰＵ６ａ、ＲＯＭ６ｂ、ＲＡＭ６ｃ、その他のデバイス６ｄから構成される制御手段６とから構成されている。
【００１１】
この構成とすることで、通信インタフェース内蔵記憶装置１は、通信可能な機器に対してカードインタフェース５を介して記憶媒体４の情報を取得したり、情報を格納したり、情報を編集することが可能である。
【００１２】
次に、通信インタフェース内蔵記憶装置１の記憶媒体４について説明する。本発明では、記憶媒体４は通信可能な機器に対して情報を送信する送信専用領域４ａを有している。これにより、通信インタフェース内蔵記憶装置１は、電源が投入された後、ホスト機器による制御を必要とすることなく、制御手段６の指示により、通信が可能な機器に対して、送信専用領域４ａ中の情報を送信することができる。
【００１３】
さらに、通信可能な機器に対して、セキュリティを有する特定の情報を送信しようとするとき、送信専用領域４ａ中の必要な情報のみを選択して、セキュリティを有する特定の情報を通信可能な機器に情報を送信することが可能となる。
【００１４】
一方、記憶媒体４に受信専用機器４ｂを有している場合、電源が投入された後、通信インタフェース内蔵記憶装置１は、制御手段６の指示により、ホスト機器による制御を必要とすることなく、通信が可能な機器から、受信専用領域４ｂに必要な情報を送信することができる。また、通信可能な機器からの情報量が大きいときには、ホスト機器からの情報を、受信専用領域４ｂに加えて、記憶領域４ｃを受信領域として使用することができる。
【００１５】
本発明の通信インタフェース内蔵記憶装置１は、送信専用領域４ａ、受信専用領域４ｂの両方を有することにより、ホスト機器による制御を必要とすることなく、通信が可能な機器に対して送信、受信の両方を行うことができ、さらにその他の記憶領域４ｃを有することにより、送信および受信するための情報の編集を行うことができ、さらに、必要な情報のみを送受信することも可能である。
【００１６】
また、ホスト機器との情報のやり取りを行う場合、カードインタフェース５を介して送信専用領域４ａ、および受信専用領域４ｂを含む記憶媒体４の情報の編集を可能とするホスト機器と情報の編集を可能とするホスト機器を特定することができる。
【００１７】
なお、本発明の通信インタフェース内蔵記憶装置１は、図１に示すようなカード形状で説明したが、他の形状であってもカード形状の場合と同様の効果を得ることができる。
【００１８】
以上のように本発明は、通信機器側にある記憶媒体に送信専用領域、または受信専用領域を設けることにより、制御ソフトウェアや表示媒体などを有するホスト機器を必要とすることなく送受信を行うことが可能となる。
【産業上の利用可能性】
【００１９】
本発明における通信インタフェース内蔵記憶装置は、ホスト機器の制御を必要とせず、情報の送受信を可能とするため、従来非接触ＩＣカードで行われていたサービスと同様のサービスを実現できる。また受信領域を持つため通信履歴などの情報格納することを可能とする効果が得られる。またカードインタフェースを有するため、制御ソフトウェアや表示機能を要するホスト機器を用いて記憶媒体の情報を編集することを可能とする効果を有する。
【図面の簡単な説明】
【００２０】
【図１】本発明の実施の形態１における通信インタフェース内蔵記憶装置の構成図
【符号の説明】
【００２１】
１  通信インタフェース内蔵記憶装置
２  アンテナ
３  通信インタフェース
４  記憶媒体
４ａ  送信専用領域
４ｂ  受信専用領域
４ｃ  その他記憶領域
５  カードインタフェース
６  制御手段
６ａ  ＣＰＵ
６ｂ  ＲＯＭ
６ｃ  ＲＡＭ
６ｄ  その他デバイス
【図１】
2005327018.tif 000003